(57)【要約】      （修正有）【課題】身頃を備えず専ら下半身を被覆する筒状のスカートにおいて、着脱自在な防寒用ライナーの上端を、上衣のスカート内への挿入の邪魔にならないようにするスカートを提供する。【解決手段】防寒用布３の上端部は、スカート本体２の内側に重ねられ、端部隠し部４は、基端側がスカート本体２と一体にスカート本体２の内周面へ設けられ且つ先端側が下方に向けられて、スカート本体２へ重ねられる。取付部５１が端部隠し部に設けられ、被取付部５２は、防寒用布３の上端付近に設けられ、防寒用布３を、スカート本体２と端部隠し部４との間へ挿入し、取付部５１へ被取付部５２を係止して、防寒用布３をスカート本体２の裏に取り付けることができ、端部隠し部４にて、防寒用布３上端が覆われる。【選択図】図１
0003190401.tif 000002
【実用新案登録請求の範囲】
【請求項１】
身頃を備えず専ら下半身を被覆する筒状のスカートにおいて、
筒状のスカート本体と、前記スカート本体と別体に形成されて前記スカート本体へ着脱自在に取り付けられる防寒用布と、端部隠し部と、前記防寒用布の取付部材とを備え、
前記防寒用布の少なくとも上端部は、筒状の前記スカート本体の内側に重ねられ、前記取付部材にて、前記防寒用布が、前記スカート本体の上端部に着脱自在に取り付けられるものであり、
前記端部隠し部は、基端側が前記スカート本体と一体に腰回りに沿って前記スカート本体の内周面へ設けられ且つ先端側が下方に向けられて、前記スカート本体の裏面に重なる布片であり、
前記取付部材は、取付部と、前記取付部へ着脱自在に係止される被取付部とからなり、前記取付部は、前記端部隠し部における前記スカート本体と重なる部位又は前記スカート本体における前記端部隠し部と重なる部位に設けられ、前記被取付部は、前記防寒用布の上端又は当該上端付近に設けられ、
前記防寒用布を、前記スカート本体と前記端部隠し部との間へ挿入し、前記取付部へ前記被取付部を係止することにより、前記防寒用布を前記スカート本体の裏に取り付けることができ、
前記端部隠し部によって、前記防寒用布上端が覆われるものであることを特徴とするスカート。
【請求項２】
前記防寒用布は、筒状に形成された防寒用ライナーであり、
前記取付部は、前記端部隠し部に設けられて腰回りに沿って配列された複数のボタン穴であり、前記被取付部は、前記防寒用ライナーの外周面の上端付近において当該防寒ライナーの周方向に沿って配列された複数のボタンであり、前記ボタン穴へ前記ボタンを掛けることによって、前記スカート本体へ、前記防寒用ライナーを取り付けることができるものであることを特徴とする請求項１記載のスカート。
【請求項３】
前記スカート本体のウエスト部は開閉できるものであり、
前記スカート本体は、上端にウエストバンドを備え、前記ウエストバンドは、留具を備え、
スカート本体の前記ウエスト部を閉じる際、前記留具にて前記ウエストバンドの両端を留めることができ、
前記防寒用ライナーにおける、スカート本体の前記ウエスト部の開閉部分と対応する部分には、筒状の防寒用ライナーの上端から下方に向けて伸びる切欠部が形成され、
前記防寒用ライナーにおける、腰回りの前記切欠部と異なる部位には、タックが設けられて、前記防寒用ライナーの外周面に起伏が形成されたものであり、
前記防寒用ライナーの裾には、前記防寒用ライナーの下端から上方へ伸びるスリットが形成されて、筒状の前記防寒用ライナーの裾を開きやすくするものであり、
前記端部隠し部は、基部側が前記スカート本体のウエストバンドの下端に縫い付けられた前記スカート本体と別体の帯状の布であることを特徴とする請求項２記載のスカート。
【考案の詳細な説明】
【技術分野】
【０００１】
本願考案は、スカートの改良に関する。
【背景技術】
【０００２】
気候が寒冷な時期や地域或いは冷房の利いた場所にて、裏地を備えないスカートを着用したい場合、防寒のために、コートなどの外衣を更に着用するか、保温性のある下着を身に付けた上で当該スカートを着用するのが一般的である。しかし、冷房の利いた部屋などで一時的に冷気にさらされる場合、その部屋以外では、防寒のために着用していた下着などは暑苦しさを招来する。
このため、本願の考案者は、防寒手段として、必要な時スカートに取り付けことができ不要なときはスカートから外しておける防寒用の裏地について鋭意検討した。
一方、種々の目的で、裏地のないスカートに対して、裏地や下着を着脱自在に取り付ける、様々なスカートが提案されている。
このようなスカートについて、特許文献１〜３を例示することができる。
【０００３】
（特許文献１）
特許文献１には、上縁に小孔を設け環状に形成した下着２の上縁を、本体（主体１）内面に着脱自在に装着した少女用毛絲編製スカートの構造が示されている（登録請求の範囲）。そして、特許文献１には、下着２を環状に形成しその上縁に小孔を散設してスカート１（本体１）の内面に釦止３できるので、下着２の着脱が容易であり、釦止３により従来の（紐などで）結止めたもののように使用中弛み解けることにて脱落する弊害がなく、釦止３により確実に固定でき、また下着２は、環状に形成されているので着用に際しスカート１と一体になり歩行運動等に何らの支障を来さず、またスカート１に下着２を取り付けたまま自由に着替えができるので利便性を向上させた旨の記載がある（実用新案の性質、作用及び効果の要領）。
【０００４】
この特許文献１の第１図には、ワンピースのような袖を備えないがマタニティスカートのように身頃を備えた少女用の毛糸の衣服が示されている。上記第１図において、当該衣服の腰回りの裏側に複数のボタン（釦止３）が描かれている。また、特許文献１の第２図には、上縁付近にボタン穴と見えるものが描かれた筒状の上記下着２が描かれている。
ボタンを取り付け手段として利用するのは、痛んだときに代替品を確保しやすく、スカートを着用したまま、裏地だけを外すときは、金属ファスナのように生地を噛んだり、起毛ファスナのようにスカートの他の部分の生地に貼り付いたりせず取り扱いが容易という利点がある。
【０００５】
特許文献１のスカートは、身頃を備えるものを想定しており、そのため、身頃を備えない筒状のスカートのように、ブラウスなどのスカートと別体の上衣と一緒に着用されることが全く考慮されていない。
具体的には、身頃を備えない筒状のスカートにおいては、先にブラウスなど上衣を着た後にスカートを着用する場合も、スカートを着用した後にブラウスを着る場合も、ブラウスの裾が取り付けられた裏地の上端に当たり、何れの場合も円滑にブラウスの裾をスカートと身体の間に滑り込ませるのが困難である。
【０００６】
（特許文献２）
特許文献２には、婦人用スカート、パンタロンの胴部内部と裏地の胴部外部に着脱自在に介在させて両者を接合した婦人用スカート、パンタロンが示されている（実用新案登録請求の範囲）。特許文献２には、特許文献１と異なり、身頃を備えず下半身のみを覆う筒状のスカートが示されている。特許文献２の第１図及び明細書第２頁第１４行目〜同頁第１５行目には、上記裏地をスカートへ着脱資材に取り付ける着脱部材５として、起毛面ファスナ（ｘｘｘｘテープ片５ａ）が示され、同頁第１６行目には、起毛面ファスナに限らず、着脱部材５ａにホックやボタンを採用してもよい旨記載されている。
【０００７】
特許文献２に示されたスカートは、上記の通り、正に身頃を備えない筒状のスカートであり、先にブラウスなど上衣を着た後にスカートを着用する場合も、スカートを着用した後にブラウスを着る場合も、ブラウスの裾が取り付けられた裏地の上端に当たり、何れの場合も円滑にブラウスの裾をスカートと身体の間に滑り込ませるのが困難である。
【０００８】
（特許文献３）
特許文献３には、スカート状の外衣と、この外衣の内部にウエスト部を外衣と共通にして吊り下げられたズボン状の内衣とで作られ、この内衣の丈が上記の外衣の丈よりも短く形成された下半身用の防寒被服が示され（請求項１）、当該ズボン状の内衣が着脱自在に形成された旨の記載がある（請求項３）。そして、特許文献３の第２図及び明細書第５頁第１３行目から同頁第１７行目には、上記外衣へズボン状の内衣を着脱自在に取り付ける手段として、起毛面ファスナ（ファスナー５）が記載されている。
【０００９】
特許文献３に示されたスカートも、特許文献２同様身頃を備えない筒状のスカートであり、先にブラウスなど上衣を着た後にスカートを着用する場合も、スカートを着用した後にブラウスを着る場合も、ブラウスの裾が取り付けられたズボン状の内衣の上端に当たり、何れの場合も円滑にブラウスの裾をスカートと身体の間に滑り込ませるのが困難である。
【先行技術文献】
【特許文献】
【００１０】
【特許文献１】実公昭１４−１４６号公報
【特許文献２】実開昭５８−１７６９２０号公報
【特許文献３】実開平３−１９１０号公報
【特許文献４】実開平４−５６７０５号公報
【考案の概要】
【考案が解決しようとする課題】
【００１１】
そこで、本願考案者は、身頃を備えない筒状のスカートであって、ボタンなどの取付部にて着脱自在に裏地や下衣などの防寒用布が取り付けられるものについて、ブラウスなどの上衣の裾を身体と防寒用布との間へ円滑に滑り込ませることを目的とする。
【課題を解決するための手段】
【００１２】
本願考案は、身頃を備えず専ら下半身を被覆する筒状のスカートにおいて、次の構成を採る。
即ち、このスカートは、筒状のスカート本体と、前記スカート本体と別体に形成されて前記スカート本体へ着脱自在に取り付けられる防寒用布と、端部隠し部と、前記防寒用布の取付部材とを備え、前記防寒用布の少なくとも上端部は、筒状の前記スカート本体の内側に重ねられ、前記取付部材にて、前記防寒用布が、前記スカート本体の上端部に着脱自在に取り付けられるものであり、前記端部隠し部は、基端側が前記スカート本体と一体に腰回りに沿って前記スカート本体の内周面へ設けられ且つ先端側が下方に向けられて、前記スカート本体の裏面に重なる布片であり、前記取付部材は、取付部と、前記取付部へ着脱自在に係止される被取付部とからなり、前記取付部は、前記端部隠し部における前記スカート本体と重なる部位又は前記スカート本体における前記端部隠し部と重なる部位に設けられ、前記被取付部は、前記防寒用布の上端又は当該上端付近に設けられ、前記防寒用布を、前記スカート本体と前記端部隠し部との間へ挿入し、前記取付部へ前記被取付部を係止することにより、前記防寒用布を前記スカート本体の裏に取り付けることができ、前記端部隠し部によって、前記防寒用布上端が覆われる。
また、本願考案では、前記防寒用布は、筒状に形成された防寒用ライナーであり、前記取付部は、前記端部隠し部に設けられて腰回りに沿って配列された複数のボタン穴であり、前記被取付部は、前記防寒用ライナーの外周面の上端付近において当該防寒ライナーの周方向に沿って配列された複数のボタンであり、前記ボタン穴へ前記ボタンを掛けることによって、前記スカート本体へ、前記防寒用ライナーを取り付けることができるスカートを提供する。
更に、本願考案では、前記スカート本体のウエスト部は開閉できるものであり、前記スカート本体は、上端にウエストバンドを備え、前記ウエストバンドは、留具を備え、スカート本体の前記ウエスト部を閉じる際、前記留具にて前記ウエストバンドの両端を留めることができ、前記防寒用ライナーにおける、スカート本体の前記ウエスト部の開閉部分と対応する部分には、筒状の防寒用ライナーの上端から下方に向けて伸びる切欠部が形成され、前記防寒用ライナーにおける、腰回りの前記切欠部と異なる部位には、タックが設けられて、前記防寒用ライナーの外周面に起伏が形成されたものであり、前記防寒用ライナーの裾には、前記防寒用ライナーの下端から上方へ伸びるスリットが形成されて、筒状の前記防寒用ライナーの裾を開きやすくするものであり、前記端部隠し部は、基部側が前記スカート本体のウエストバンドの下端に縫い付けられた前記スカート本体と別体の帯状の布であるスカートを提供する。
【考案の効果】
【００１３】
本願考案は、身頃を備えない専ら下半身を覆う筒状のスカートであって、着脱自在に防寒用布がスカート本体の内側へ配置されるものについて、着用時ブラウスなどの上衣の裾を防寒用布と身体との間へ挿入する際に、防寒用布の上端が当該上衣の裾に直接当たることを回避し、上衣の上記挿入を円滑に行うことができる。
特に、防寒用布を筒状の防寒用ライナーとし、当該防寒用ライナーの被取付部をボタンとし、端部隠し部の取付部をボタン穴として、スカートを着用したまま、ウエスト部へ手を差し入れることによって、簡単にボタンを外して、容易に防寒用ライナーをスカート本体から取り外すことができる。この場合、ブラウスをスカートの中へ挿入する際に、ボタンやボタンの付け糸にブラウスの裾が当たったとしても、ボタンが設けられた箇所は手探りですぐ分かり、ブラウスの裾を入れ直すのは容易である。
また、ウエスト部の開閉が行えるスカートにおいて、上記防寒用ライナーが上記の切欠部を備えることにより、ウエスト部の開閉を円滑に行うことができる。更に、上記のタックを備えることにより、筒状の防寒用ライナーは、太股に纏わりつきにくく、履き心地を向上し得た。更に、上記スリットを設けることによって防寒用ライナーの裾を開きやすいものとし、着用者が動きやすいものとした。
【図面の簡単な説明】
【００１４】
【図１】（Ａ）は本願考案に係る一実施の形態を示すスカートを裏返した状態を示す正面図、（Ｂ）は（Ａ）の一部切欠要部拡大正面図。
【図２】（Ａ）は図１（Ａ）の裏返したスカートから防寒用ライナーを外した状態を示す正面図、（Ｂ）は（Ａ）において外した防寒用ライナーの裏返した状態の正面図。
【図３】（Ａ）は図２（Ｂ）の状態における防寒用ライナーの一部切欠拡大正面図、（Ｂ）は、他の実施の形態に係る防寒用ライナーの裏返した状態を示す一部切欠拡大正面図。
【考案を実施するための形態】
【００１５】
以下、図面に基づき本願考案の実施の形態について説明する。
（基本構成）
図１（Ａ）及び図２（Ａ）へ示す通り、このスカート１は、身頃を備えず専ら下半身を被覆する筒状のものである。
このスカート１は、筒状のスカート本体２と、スカート本体２とは別体に形成されてスカート本体２へ着脱自在に取り付けられる防寒用布３と、端部隠し部４と、防寒用布３の取付部材５とを備える。
【００１６】
（スカート本体２）
図２（Ａ）へ示す通り、スカート本体２は、スカート１の表地にて筒状に形成されている。
この例では、スカート本体２のウエスト部は開閉部分２１を備える。開閉部分２１は、スカート本体１の左右のいずれか一方に設けられた切込であり、ファスナ２２が設けられている。ファスナ２２は、スライドファスナであり、開閉部分２１は、当該ファスナ２２の開閉によって開閉することができる。
また、スカート本体２は、上端にウエストバンド２３を備える。ウエストバンド２３は、留具２４を備え、スカート本体１の上記ウエスト部を閉じる際、留具２４にてウエストバンド２３の両端を留めることができる。留具２４にはこはぜ（コハゼ）を採用することができる。
【００１７】
（防寒用布３）
図１（Ａ）へ示す通り、防寒用布３の少なくとも上端部は、筒状のスカート本体２の内側に重ねられ、防寒用布３は、取付部材５にて、スカート本体２の上端部に着脱自在に取り付けられる。
この例では、防寒用布３は、筒状に形成された防寒用ライナーである（以下必要に応じて防寒用ライナー３と呼ぶ）。
上記防寒用ライナー３における、スカート本体２の前記ウエスト部の開閉部分２１と対応する部分には、筒状の当該防寒用ライナー３の上端３１（図２（Ｂ））から下方に向けて伸びる切欠部３３が形成されている。図２（Ｂ）の３２は、防寒用ライナー３の下端を示している。
【００１８】
図３（Ａ）へ示す通り、防寒用ライナー３における、腰回りの上記切欠部３３と異なる部位には、タック３４が設けられている。この例ではタック３４は、防寒用ライナー３の腰回りの複数個所に形成されている。タック３４の形成により、防寒用ライナー３の外周面に起伏が設けられている。
図３（Ｂ）へ示す通り、防寒用ライナー３の裾には、防寒用ライナー３の下端３２から上方へ伸びるスリット３５を形成して、筒状の防寒用ライナー３の裾を開きやすくするのが好ましい。但し、図１（Ｂ）へ示す通り、上記スリット３５を設けずに実施することもできる。
【００１９】
（部隠し部４）
図１（Ｂ）へ示す通り、部隠し部４は、基端４１側がスカート本体２と一体に腰回りに沿ってスカート本体２の内周面へ設けられ且つ先端側が下方に向けられて、スカート本体２の裏面に重なる布片である。
具板的には、端部隠し部４は、上記基部４１側がスカート本体２のウエストバンド２３の下端に縫い付けられている。端部隠し部４は、当該ウエストバンド２３に沿って伸びる、スカート本体２と別体の帯状の布である。上記端部隠し部４の基部４１は、帯状の端部隠し部４の長辺の一方である。
【００２０】
（取付部材５）
図１（Ａ）（Ｂ）へ示す通り、取付部材５は、取付部５１と、取付部５１へ着脱自在に係止される被取付部５２とにて構成される。
取付部５１は、上記端部隠し部４におけるスカート本体２と重なる部位又はスカート本体２における端部隠し部４と重なる部位に設けられ、被取付部５２は、防寒用用ライナー３の上端３１又は上端３１付近に設けられている。
この例では、取付部５１は、端部隠し部４に設けられて腰回りに沿って配列された複数のボタン穴５１ａである（図１（Ｂ）及び図２（Ａ））。また、被取付部５２は、防寒用ライナー３の外周面の上端付近において防寒ライナー３の周方向に沿って配列された複数のボタン５２ａである（図１（Ｂ）及び図２（Ｂ））。
【００２１】
（防寒用布３のスカート本体２への取り付け）
防寒用ライナー３を、スカート本体２と端部隠し部４との間へ挿入し、取付部５１へ被取付部５２を係止することにより、即ち、ボタン穴５１ａへボタン５２ａを掛けることによって、スカート本体２へ、防寒用ライナー３を取り付けることができる。そして、取り付けられた防寒用ライナー３の上端３１は、端部隠し部４によって覆われる。
【００２２】
（変更例）
上記の実施の形態において、ボタン穴５１ａは、防寒用布３に設けられた穴とした。この他、図示は省略するが、防寒用布３の下端３２へ両端が縫い付けられて環状にされた紐の、内側としてもよい。
また、端部隠し部４のスカート本体２と重なる面又はスカート本体２の端部隠し部４と重なる面にボタン５２ａを設け、防寒用布３へボタン穴５１ａを設けるものとしても実施できる。但し、図示の通り、端部隠し部４へボタン穴５１ａを設け、防寒用布４へボタン５２ａを設けるほうが、ボタンの係脱が用意であり、便利である。
また、取付部材５は、滑り金具にて２列に配列された複数の噛合部を噛み合わせるスライドファスナや、複数個所に設けられる起毛面ファスナや、複数個所に設けられるスナップといった周知の他の係止手段を採用するものとしても実施できる。但し、ボタンは、スライドファスナのように生地を噛み込んだり、起毛面ファスナのように生地にくっ付いたりしないので、極めて取り扱いやすい係止手段として好ましい。
更に、端部隠し部４は、上記のように、スカート本体２と別体の布をスカート本体へ縫い付ける他、スカート本体２の上端の生地を折り返して形成するものとしても実施できる。
ウエストバンド２３の留具２４は、コハゼの他、ボタンや、スナップを採用することができる。
更に、上記防寒用布３は、筒状の防寒用ライナー３に限定するものではなく、特許文献３と同様のズボン型のものであっても実施可能である。
【符号の説明】
【００２３】
１    スカート
２    スカート本体
３    防寒用布（防寒用ライナー）
４    端部隠し部
５    取付部材
２１  （スカート本体２の）開閉部分
２２  （開閉部分２１の）ファスナ
２３  （スカート本体２の）ウエストバンド
２４  （ウエストバンド２３の）留具
５１  （取付部材５の）取付部
５１ａ（取付部５１を構成する）ボタン穴
５２  （取付部材５の）被取付部
５２ａ（被取付部５２を構成する）ボタン
【図１】
0003190401.tif 000003
【図２】
0003190401.tif 000004
【図３】
0003190401.tif 000005